(57)【要約】【課題】携帯端末を所持したユーザーが部屋を移動しながら気軽にコンテンツ視聴を楽しむことが可能な携帯端末、無線通信システム、携帯端末の制御方法およびプログラムを提供する。【解決手段】ＡＶ機器を操作可能な携帯端末１０であって、ＡＶ機器ごとに設定された送信パワーレベルの閾値を記憶する閾値記憶部１４１と、ＡＶ機器から送信パワーレベルを取得する送信パワーレベル取得部１２０と、ＡＶ機器から取得した送信パワーレベルが閾値を超えた場合、当該ＡＶ機器を操作するための操作アプリケーションを起動するアプリケーション制御部１５１と、を備えた。【選択図】図３
2014022935.tif 000002
【特許請求の範囲】
【請求項１】
無線機器を操作可能な携帯端末であって、
予め前記無線機器毎に設定された送信パワーレベルの閾値を記憶する閾値記憶部と、
前記無線機器から前記送信パワーレベルを取得する送信パワーレベル取得部と、
前記無線機器から取得した前記送信パワーレベルが前記閾値を超えた場合、当該無線機器を操作するための操作アプリケーションを起動する制御部と、を備えたことを特徴とする携帯端末。
【請求項２】
前記制御部は、任意の無線機器を操作するための操作アプリケーションを起動している状態で、他の無線機器から取得した前記送信パワーレベルが前記閾値を超えた場合、前記任意の無線機器を操作するための操作アプリケーションを終了すると共に、前記他の無線機器を操作するための操作アプリケーションを起動することを特徴とする請求項１に記載の携帯端末。
【請求項３】
前記制御部は、任意の無線機器を操作するための操作アプリケーションを起動している状態で、他の無線機器から取得した前記送信パワーレベルが前記閾値を超えた場合、前記任意の無線機器に対して電源ＯＦＦ指令信号を出力すると共に、前記他の無線機器に対して電源ＯＮ指令信号を出力することを特徴とする請求項１または２に記載の携帯端末。
【請求項４】
前記無線機器の操作を所望する位置で、当該無線機器から取得した前記送信パワーレベルを、前記閾値として前記閾値記憶部に記憶する初期設定部をさらに備えたことを特徴とする請求項１ないし３のいずれか１項に記載の携帯端末。
【請求項５】
前記初期設定部は、複数の無線機器について、それぞれの操作を所望する位置で取得した前記送信パワーレベルを、各無線機器に対応する前記閾値として記憶し、
前記制御部は、前記無線機器から取得した前記送信パワーレベルが、当該無線機器に対応する前記閾値を超えた場合、当該無線機器を操作するための操作アプリケーションを起動することを特徴とする請求項４に記載の携帯端末。
【請求項６】
複数の無線機器について、それぞれ設定情報を記憶する設定情報記憶部をさらに備え、
前記制御部は、前記無線機器から取得した前記送信パワーレベルが前記閾値を超えた場合、当該無線機器に、当該無線機器に対応する前記設定情報を設定することを特徴とする請求項１ないし５のいずれか１項に記載の携帯端末。
【請求項７】
前記無線機器から取得した前記送信パワーレベルが前記閾値を超えた場合、当該無線機器から、ネットワーク識別番号を取得する識別番号取得部をさらに備え、
前記制御部は、取得した前記ネットワーク識別番号を用いて前記無線機器のネットワーク制御を行うことを特徴とする請求項１ないし６のいずれか１項に記載の携帯端末。
【請求項８】
前記無線機器は、クライアント機器と接続されたマスター機器であり、当該マスター機器は、接続された各クライアント機器の前記ネットワーク識別番号を記憶しており、
前記識別番号取得部は、前記マスター機器から取得した前記送信パワーレベルが前記閾値を超えた場合、当該マスター機器および当該マスター機器に接続された各クライアント機器の前記ネットワーク識別番号を取得し、
前記制御部は、取得した前記ネットワーク識別番号を用いて、前記マスター機器および当該マスター機器に接続された各クライアント機器のネットワーク制御を行うことを特徴とする請求項７に記載の携帯端末。
【請求項９】
携帯端末と無線機器が無線通信可能に構成された無線通信システムであって、
前記携帯端末は、
予め前記無線機器毎に設定された送信パワーレベルの閾値を記憶する閾値記憶部と、
前記無線機器から前記送信パワーレベルを取得する送信パワーレベル取得部と、
前記無線機器から取得した前記送信パワーレベルが前記閾値を超えた場合、当該無線機器を操作するための操作アプリケーションを起動する制御部と、を備えたことを特徴とする無線通信システム。
【請求項１０】
無線機器を操作可能な携帯端末の制御方法であって、
予め前記無線機器毎に設定された送信パワーレベルの閾値を記憶するステップと、
前記無線機器から前記送信パワーレベルを取得するステップと、
前記無線機器から取得した前記送信パワーレベルが前記閾値を超えた場合、当該無線機器を操作するための操作アプリケーションを起動するステップと、を実行することを特徴とする携帯端末の制御方法。
【請求項１１】
コンピューターに、請求項１０に記載の携帯端末の制御方法における各ステップを実行させるためのプログラム。
【発明の詳細な説明】
【技術分野】
【０００１】
本発明は、コンテンツを再生する無線機器の操作を行う携帯端末、無線通信システム、携帯端末の制御方法およびプログラムに関するものである。
【背景技術】
【０００２】
この種の技術として、コンテンツの再生制御を行う再生制御手段と、所定領域内に存在する１つ以上の通信可能な無線機器（コンテンツ再生機器）を特定する領域内特定手段と、領域内特定手段で特定した無線機器の中から、再生中のコンテンツに適合する無線機器を特定する適合機器特定手段と、適合機器特定手段で特定した無線機器にコンテンツデータを送信する送信手段と、を備えた携帯端末が知られている（例えば、特許文献１）。この構成によれば、通信圏内に存在する小型ＴＶやステレオなどの無線機器の中から、コンテンツの再生が可能な機器を自動的に特定することができる。
【先行技術文献】
【特許文献】
【０００３】
【特許文献１】特開２００９−６０５１２号公報
【発明の概要】
【発明が解決しようとする課題】
【０００４】
ところが、上記特許文献１の技術は、通信圏内にコンテンツの再生が可能な無線機器が複数存在する場合、コンテンツデータの送信対象となる無線機器を、ユーザーが選択しなければならない。このため、例えば携帯端末を所持したユーザーが、部屋を移動しながら、各部屋に設置されているＡＶ機器でコンテンツの再生を楽しみたい場合、部屋を移動するたびに、コンテンツデータの送信対象となる無線機器を選択し直さなければならず、大変面倒である。また、スマートフォンや各種タブレット端末などの携帯端末では、各ＡＶ機器に対応する操作アプリケーションを起動する必要があるが、部屋を移動するたびに、操作アプリケーションの切替を行わなければならないため、さらに面倒である。
【０００５】
本発明は、上記の問題点に鑑み、携帯端末を所持したユーザーが部屋を移動しながら気軽にコンテンツ視聴を楽しむことが可能な携帯端末、無線通信システム、携帯端末の制御方法およびプログラムを提供することを目的とする。
【課題を解決するための手段】
【０００６】
本発明の携帯端末は、無線機器を操作可能な携帯端末であって、予め無線機器毎に設定された送信パワーレベルの閾値を記憶する閾値記憶部と、無線機器から送信パワーレベルを取得する送信パワーレベル取得部と、無線機器から取得した送信パワーレベルが閾値を超えた場合、当該無線機器を操作するための操作アプリケーションを起動する制御部と、を備えたことを特徴とする。
【０００７】
本発明の無線通信システムは、携帯端末と無線機器が無線通信可能に構成された無線通信システムであって、携帯端末は、予め無線機器毎に設定された送信パワーレベルの閾値を記憶する閾値記憶部と、無線機器から送信パワーレベルを取得する送信パワーレベル取得部と、無線機器から取得した送信パワーレベルが閾値を超えた場合、当該無線機器を操作するための操作アプリケーションを起動する制御部と、を備えたことを特徴とする。
【０００８】
本発明の携帯端末の制御方法は、無線機器を操作可能な携帯端末の制御方法であって、予め無線機器毎に設定された送信パワーレベルの閾値を記憶するステップと、無線機器から送信パワーレベルを取得するステップと、無線機器から取得した送信パワーレベルが閾値を超えた場合、当該無線機器を操作するための操作アプリケーションを起動するステップと、を実行することを特徴とする。
【０００９】
これらの構成によれば、例えば携帯端末を所持したユーザーが、部屋を移動しながら各部屋に設置された無線機器の操作を行いたい場合、無線機器から取得した送信パワーレベルによって、その無線機器に近づいたことを判定できるため、通信圏内に複数の無線機器が存在する場合でも、近くにある無線機器を操作対象として特定することができる。つまり、ユーザーが複数の無線機器の中から所望の１台を選択する手間を省略できる。また、無線機器から取得した送信パワーレベルが閾値を超えた場合、当該無線機器を操作するための操作アプリケーションを起動するため、部屋を移動するたびにユーザーが操作アプリケーションの切替を行う必要がない。このように、ユーザーが何ら操作を行うことなく、操作対象となる無線機器の特定、および操作アプリケーションの起動を行うため、無線機器がコンテンツ再生装置の場合、ユーザーは部屋を移動しながら気軽にコンテンツ視聴を楽しむことができる。
なお、「無線機器」とは、映像や音声を再生するコンテンツ再生機器のみならず、携帯端末によって操作可能な各種電子機器を指す。
【００１０】
上記の携帯端末において、制御部は、任意の無線機器を操作するための操作アプリケーションを起動している状態で、他の無線機器から取得した送信パワーレベルが閾値を超えた場合、任意の無線機器を操作するための操作アプリケーションを終了すると共に、他の無線機器を操作するための操作アプリケーションを起動することを特徴とする。
【００１１】
この構成によれば、ユーザーは、不要になった操作アプリケーションの終了の手間を省略できる。
【００１２】
上記の携帯端末において、制御部は、任意の無線機器を操作するための操作アプリケーションを起動している状態で、他の無線機器から取得した送信パワーレベルが閾値を超えた場合、任意の無線機器に対して電源ＯＦＦ指令信号を出力すると共に、他の無線機器に対して電源ＯＮ指令信号を出力することを特徴とする。
【００１３】
この構成によれば、電源ＯＮ指令信号の出力により、ユーザーは、操作対象となる無線機器が電源ＯＦＦの状態であっても、その起動の手間を省略できる。また、電源ＯＦＦ指令信号の出力により、操作対象とならない無線機器が電源ＯＮ状態を維持し続けることによる、無駄な電力消費を防止できる。
【００１４】
上記の携帯端末において、無線機器の操作を所望する位置で、当該無線機器から取得した送信パワーレベルを、閾値として閾値記憶部に記憶する初期設定部をさらに備えたことを特徴とする。
【００１５】
上記の携帯端末において、初期設定部は、複数の無線機器について、それぞれの操作を所望する位置で取得した送信パワーレベルを、各無線機器に対応する閾値として記憶し、制御部は、無線機器から取得した送信パワーレベルが、当該無線機器に対応する閾値を超えた場合、当該無線機器を操作するための操作アプリケーションを起動することを特徴とする。
【００１６】
無線機器に近づいたか否かの判別は、各部屋の壁の反射やアンテナの損失などを考慮しなければならないため、単純に計算式で求めることが難しい。これらの構成によれば、初期設定により実際に取得した送信パワーレベルを閾値として記憶するため、各部屋の状態等を考慮しつつ、ユーザーが所望する位置で、操作対象となる無線機器の切替（操作アプリケーションの起動・終了）を正確に行うことができる。
【００１７】
上記の携帯端末において、複数の無線機器について、それぞれ設定情報を記憶する設定情報記憶部をさらに備え、制御部は、無線機器から取得した送信パワーレベルが閾値を超えた場合、当該無線機器に、当該無線機器に対応する設定情報を設定することを特徴とする。
【００１８】
この構成によれば、操作対象となる無線機器に対し、設定情報を設定するため、ユーザーの好みの状態で、無線機器を操作できる。例えば、無線機器がコンテンツ再生機器の場合、各種再生情報（ボリューム、イコライザー値、エフェクト値、音色調整値、チャンネル、解像度、画質調整値など）を設定できる。
【００１９】
上記の携帯端末において、無線機器から取得した送信パワーレベルが閾値を超えた場合、当該無線機器から、ネットワーク識別番号を取得する識別番号取得部をさらに備え、制御部は、取得したネットワーク識別番号を用いて無線機器のネットワーク制御を行うことを特徴とする。
【００２０】
この構成によれば、ネットワーク識別番号（ＩＰアドレスなど）を取得することにより、無線機器のネットワーク制御を行うことができる。
【００２１】
上記の携帯端末において、無線機器は、クライアント機器と接続されたマスター機器であり、当該マスター機器は、接続された各クライアント機器のネットワーク識別番号を記憶しており、識別番号取得部は、マスター機器から取得した送信パワーレベルが閾値を超えた場合、当該マスター機器および当該マスター機器に接続された各クライアント機器のネットワーク識別番号を取得し、制御部は、取得したネットワーク識別番号を用いて、マスター機器および当該マスター機器に接続された各クライアント機器のネットワーク制御を行うことを特徴とする。
【００２２】
この構成によれば、マスターとクライアントの関係にある無線機器群をまとめて操作対象とすることができる。なお、この場合、マスター機器用の操作アプリケーションに、クライアント機器用の操作アプリケーションが組み込まれているか、若しくはマスター機器用の操作アプリケーションとクライアント機器用の操作アプリケーションを同時に起動するものとする。
【００２３】
本発明のプログラムは、コンピューターに、上記の携帯端末の制御方法における各ステップを実行させることを特徴とする。
【００２４】
このプログラムを用いることにより、携帯端末を所持したユーザーが部屋を移動しながら気軽にコンテンツ視聴を楽しむことが可能な携帯端末の制御方法を実現できる。
【図面の簡単な説明】
【００２５】
【図１】本発明の一実施形態に係る無線通信システムのシステム構成図である。
【図２】（ａ）は、携帯端末の制御ブロック図であり、（ｂ）は、ＡＶ機器の制御ブロック図である。
【図３】携帯端末の機能ブロック図である。
【図４】初期設定処理を示すフローチャートである。
【図５】移動時処理を示すフローチャートである。
【図６】（ａ）は、伝播損失の計算式を示す図であり、（ｂ）は、そのグラフである。
【図７】（ａ）は、マスター／クライアント構成のＡＶ機器群を示す図であり、（ｂ）は、対応表の一例を示す図である。
【発明を実施するための形態】
【００２６】
以下、本発明の携帯端末、無線通信システム、携帯端末の制御方法およびプログラムについて、添付図面を参照しながら詳細に説明する。本実施形態では、携帯端末１０を所持したユーザーが、部屋を移動しながら、各部屋に設置されているＡＶ機器２０（無線機器）で、楽曲（コンテンツ）の再生を行う状況を想定する。
【００２７】
図１は、本発明の一実施形態に係る無線通信システムＳＹのシステム構成図である。無線通信システムＳＹは、ユーザーが所持する携帯端末１０と、各部屋に設置された複数台（同図では、２台）のＡＶ機器２０と、複数台のＡＶ機器２０と接続された無線ＬＡＮルーター３０と、から成る。なお、複数台のＡＶ機器２０および無線ＬＡＮルーター３０を接続するネットワークは、有線ＬＡＮであっても良いし、無線ＬＡＮであっても良い。
【００２８】
携帯端末１０は、スマートフォン、各種タブレット端末、ノート型ＰＣなど、携帯可能な情報処理端末を指す。携帯端末１０のディスプレイ１２（図２（ａ）参照）には、各部屋のＡＶ機器２０をリモートコントロールするための操作画面が表示される。当該操作画面は、操作対象となるＡＶ機器２０に応じて、その内容（操作アイコンの形態、操作方法など）が異なる。
【００２９】
ＡＶ機器２０は、ＡＶレシーバー、ミニコンポーネントシステム、ＡＶシステム、カラオケ機器等など、楽曲コンテンツを再生／出力可能な機器を指す。また、ＡＶ機器２０は、各部屋に必ずしも１台のみの設置でなくても良いが、１つの部屋の中に複数台のＡＶ機器２０が設置される場合は、後述するマスター／クライアント機器を使った手法を用いて操作しても良い。
【００３０】
ここで、無線通信システムＳＹの概要を説明する。例えば、ユーザーが、「部屋１」に設置された「ＡＶ機器１」で楽曲の視聴を楽しんでおり、携帯端末１０には、「ＡＶ機器１」用の操作画面Ｄ１が表示されているものとする。そして、携帯端末１０に、「ＡＶ機器１」用の操作画面Ｄ１を表示したまま、且つ「ＡＶ機器１」を再生した状態のまま、「部屋２」に移動したとする。携帯端末１０を所持したユーザーが「ＡＶ機器２」に近づくと、携帯端末１０のディスプレイ１２は、「ＡＶ機器１」用の操作画面Ｄ１から「ＡＶ機器２」用の操作画面Ｄ２に切り替わる。また、「ＡＶ機器１」は電源ＯＦＦされ、代わって「ＡＶ機器２」は電源ＯＮ状態となる。これにより、ユーザーは、部屋を移動しても、何ら操作を行うことなく、最適な（身近な）ＡＶ機器２０で楽曲を再生させることができる。また、これにより、楽曲の視聴を継続して楽しむことができる。
【００３１】
図２（ａ）は、携帯端末１０の制御ブロック図である。携帯端末１０は、ＣＰＵ（Central  Processing  Unit）１１、ディスプレイ１２、操作部１３、メモリ１４、無線通信制御部１５およびＬＡＮ制御部１６を備えている。
【００３２】
ＣＰＵ１１は、中央演算処理装置であり、携帯端末１０内の各部を制御する。ディスプレイ１２は、図１に示した操作画面Ｄ１，Ｄ２等を表示する。操作部１３は、操作画面Ｄ１，Ｄ２の操作を行う。なお、ディスプレイ１２と操作部１３を統合し、タッチパネルとして搭載しても良い。
【００３３】
メモリ１４は、本実施形態（後述する設定処理、移動時処理等）を実現するための動作アプリケーション、各ＡＶ機器２０を操作するための操作アプリケーション、各ＡＶ機器２０に適した音場を設定するための設定情報、各ＡＶ機器２０に近づいたことを判別するための閾値、楽曲コンテンツ等を記憶する。「設定情報」とは、ボリューム、エフェクト値、イコライザー値、チャンネルなどの各種再生情報を指す。また、「閾値」とは、初期設定処理により予めＡＶ機器２０別に設定された送信パワーレベルを指し、ＡＶ機器２０に携帯端末１０を持つユーザーが近づいたことを判別する値である。初期設定処理の詳細については、後述する。
【００３４】
また、「楽曲コンテンツ」は、各ＡＶ機器２０を操作するための操作アプリケーションにより、再生操作可能に記憶されている。なお、楽曲コンテンツは、インターネット等を介して外部サーバーから取得する構成や、ホームネットワークにおけるＮＡＳ（Network  Attached  Storage）から取得する構成でも良い。
【００３５】
無線通信制御部１５は、Bluetooth（登録商標）の規格に基づいて通信制御を行うものであり、ＴＰＳ(Tx  Power  Service)取得部１５ａと、ＳＰＰ(Serial  Port  Protocol)取得部１５ｂと、を含む。ＴＰＳ取得部１５ａは、無線接続されたＡＶ機器２０の送信パワーレベルの取得を行う。当該送信パワーレベルの取得により、ＡＶ機器２０に近づいたことを判別する。
【００３６】
ＳＰＰ取得部１５ｂは、無線接続されたＡＶ機器２０のＩＰアドレス（ネットワーク識別番号）を取得する。一方、ＬＡＮ制御部１６は、ＬＡＮネットワーク制御（ＬＡＮ接続およびＩＰアドレスを用いたコントロール）を行う。ＬＡＮ制御部１６は、ＳＰＰ取得部１５ｂによりＩＰアドレスを取得することで、ＬＡＮ経由でのＡＶ機器２０との１：１接続（特定のＡＶ機器２０に対するコントロール）が可能となる。
【００３７】
図２（ｂ）は、ＡＶ機器２０の制御ブロック図である。ＡＶ機器２０は、ＣＰＵ２１、再生処理部２２、スピーカー２３、無線通信制御部２５およびＬＡＮ制御部２６を備えている。ＣＰＵ２１は、中央演算処理装置であり、ＡＶ機器２０内の各部を制御する。再生処理部２２は、携帯端末１０からの指令（ＬＡＮ制御部１６，２６を介して取得したコントロール信号）に基づく再生処理（ボリューム調整、エフェクト調整など）を行う。スピーカー２３は、再生処理された音声信号を出力する。
【００３８】
無線通信制御部２５は、携帯端末１０の無線通信制御部１５と無線通信を行うものであり、ＴＰＳ送信部２５ａと、ＳＰＰ送信部２５ｂと、を含む。ＴＰＳ送信部２５ａは、無線接続された携帯端末１０に送信パワーレベルの送信を行う。また、ＳＰＰ送信部２５ｂは、無線接続された携帯端末１０に、自機器（ＡＶ機器２０）のＩＰアドレスを送信する。ＬＡＮ制御部２６は、携帯端末１０のＬＡＮ制御部１６と同様に、ＬＡＮネットワーク制御を行う。
【００３９】
図３は、携帯端末１０の機能ブロック図である。携帯端末１０は、主な機能構成として、初期設定部１１０、送信パワーレベル取得部１２０、識別番号取得部１３０、記憶部１４０および制御部１５０を備えている。
【００４０】
初期設定部１１０は、初期設定処理により、各ＡＶ機器２０について、それぞれの操作を所望する位置で取得した送信パワーレベルを、各ＡＶ機器２０に対応する閾値として、後述する閾値記憶部１４１に記憶する。つまり、任意のＡＶ機器２０から取得した送信パワーレベルが、任意のＡＶ機器２０に対応する閾値を超えた場合、携帯端末１０が任意のＡＶ機器２０に近づいたと判定される。このように、実際に取得した送信パワーレベルを閾値として記憶することで、各部屋の壁の反射やアンテナの損失などを考慮しつつ、ユーザーが所望する位置で正確にＡＶ機器２０の切替（操作アプリケーションの起動・終了）を行うことができる。
【００４１】
送信パワーレベル取得部１２０は、ＴＰＳ取得部１５ａにより、各ＡＶ機器２０から、送信パワーレベルを取得する。なお、送信パワーレベルの取得は、ポーリングによって常時（定期的に）行っても良いし、携帯端末１０内蔵のジャイロセンサー等により携帯端末１０の動きを検出し、一定量以上の動きがあった場合に取得するようにしても良い。
【００４２】
識別番号取得部１３０は、任意のＡＶ機器２０から取得した送信パワーレベルが、任意のＡＶ機器２０に対応する閾値を超えた場合、ＳＰＰ取得部１５ｂにより、当該任意のＡＶ機器２０から、ＩＰアドレスを取得する。
【００４３】
記憶部１４０は、閾値記憶部１４１、設定情報記憶部１４２およびアプリケーション記憶部１４３を含む。閾値記憶部１４１は、上記のとおり、各ＡＶ機器２０に近づいたことを判定するための、各ＡＶ機器２０に対応する送信パワーレベルの閾値を記憶する。
【００４４】
設定情報記憶部１４２は、各ＡＶ機器２０に対応する設定情報を記憶する。設定情報を記憶させる方法としては、例えば、携帯端末１０が任意のＡＶ機器２０に対応する操作アプリケーションを起動している状態で、任意のＡＶ機器２０を好みの設定情報に設定し、携帯端末１０の操作画面上に表示されている所定のアイコン（設定ボタン等）を選択することで、その時点における設定情報を保存する、などが考えられる。また、前回、任意のＡＶ機器２０に対応する操作アプリケーションを終了した時点で任意のＡＶ機器２０に設定されていた設定情報を、当該任意のＡＶ機器２０に対応する設定情報として保存する方法でも良い。
【００４５】
アプリケーション記憶部１４３は、各ＡＶ機器２０に対応する複数の操作アプリケーションを記憶する。
【００４６】
制御部１５０は、アプリケーション制御部１５１、電源制御部１５２、設定制御部１５３およびネットワーク制御部１５４を含む。アプリケーション制御部１５１は、任意のＡＶ機器２０から取得した送信パワーレベルが、任意のＡＶ機器２０に対応する閾値を超えた場合、当該任意のＡＶ機器２０を操作するための操作アプリケーションを起動する。また、任意のＡＶ機器２０を操作するための操作アプリケーションを起動している状態で、他のＡＶ機器２０から取得した送信パワーレベルが、当該他のＡＶ機器２０に対応する閾値を超えた場合、任意のＡＶ機器２０を操作するための操作アプリケーションを終了する。
【００４７】
電源制御部１５２は、任意のＡＶ機器２０を操作するための操作アプリケーションを起動している状態で、他のＡＶ機器２０から取得した送信パワーレベルが、当該他のＡＶ機器２０に対応する閾値を超えた場合、任意のＡＶ機器２０に対して電源ＯＦＦ指令信号を出力すると共に、他のＡＶ機器２０に対して電源ＯＮ指令信号を出力する。
【００４８】
設定制御部１５３は、任意のＡＶ機器２０から取得した送信パワーレベルが、任意のＡＶ機器２０に対応する閾値を超えた場合、任意のＡＶ機器２０に、設定情報記憶部１４２から読み出した当該任意のＡＶ機器２０用の設定情報を設定する。
【００４９】
ネットワーク制御部１５４は、識別番号取得部１３０により取得したＩＰアドレスを用いて、ＡＶ機器２０のネットワーク制御を行う。
【００５０】
図４は、初期設定処理を示すフローチャートである。初期設定処理では、まず携帯端末１０とＡＶ機器２０とのペアリングを行い（Ｓ０１）、ＡＶ機器２０の操作を開始すべき位置（ＡＶ機器２０に対する相対位置）を確定する（Ｓ０２）。確定方法としては、例えば携帯端末１０の操作画面上に表示された所定のアイコン（位置確定ボタンなど）を選択する、また携帯端末１０に所定の動きを与える（回転させる、所定回数以上振動させるなど）、が考えられる。
【００５１】
携帯端末１０は、確定された位置で取得したＡＶ機器２０からの送信パワーレベルに基づき、当該ＡＶ機器２０用の閾値を算出する（Ｓ０３）。また、ＡＶ機器２０のアドレス（ＩＰアドレスなど）と紐付けて、当該閾値を閾値記憶部１４１に保存する（Ｓ０４）。以上、Ｓ０１〜Ｓ０４の工程を、操作したい全てのＡＶ機器２０に対して繰り返す。
【００５２】
なお、「閾値」としては、ある任意の場所で、複数のＡＶ機器２０から取得した各送信パワーレベルが、同時に各閾値を超えることがないように設定されていることが好ましい。つまり、初期設定処理の際、例えば同じ部屋に複数台のＡＶ機器２０が存在するような状況では、その離間距離に対して十分小さい距離以内に近づかない限り閾値が保存できないように、Ｓ０２で位置確定の制限を行うことが好ましい。例えば、同じ部屋内に設置された「ＡＶ機器１」と「ＡＶ機器２」に対して初期設定処理を行う場合であって、「ＡＶ機器１」の初期設定処理において、「ＡＶ機器１」から送信パワーレベルを取得した際に、「ＡＶ機器２」からも同程度以上の送信パワーレベルを取得している場合、Ｓ０２で位置確定を制限することが考えられる。
【００５３】
図５は、移動時処理を示すフローチャートである。ここでは、「ＡＶ機器１」が設置されている「部屋１」から、「ＡＶ機器２」が設置されている「部屋２」に移動する場合を想定する（図１参照）。また、「ＡＶ機器１」用の操作アプリケーションが起動状態にある（携帯端末１０に「ＡＶ機器１」用の操作画面Ｄ１が表示されている）ものとする。
【００５４】
携帯端末１０は、「ＡＶ機器２」から取得した送信パワーレベルが、「ＡＶ機器２」用の閾値を超えた場合（Ｓ１１：Ｙｅｓ）、「ＡＶ機器２」とのＳＰＰ接続を行い（Ｓ１２）、「ＡＶ機器２」からＩＰアドレスを含む機器情報を取得する（Ｓ１３）。なお、特に図示しないが、Ｓ１３で取得した機器情報により、ＡＶ機器２０以外の機器であると判定した場合は、以降の処理を省略する。以上、Ｓ１１〜Ｓ１３は、本実施形態を実現するための動作アプリケーションの一部に相当する閾値監視アプリケーション（「ＡＶ機器１」用の操作アプリケーションのバックグラウンドで動作している）により実現される工程である。
【００５５】
続いて、携帯端末１０は、ＬＡＮネットワークを介し、「ＡＶ機器１」に対し電源ＯＦＦ指令信号を出力する（Ｓ１４）。また、「ＡＶ機器１」用の操作アプリケーションを終了する（Ｓ１５）。以上、Ｓ１４，Ｓ１５は、主に「ＡＶ機器１」用の操作アプリケーションにより実現される工程である。
【００５６】
一方、携帯端末１０は、「ＡＶ機器２」用の操作アプリケーションを起動し（Ｓ１６）、「ＡＶ機器２」から取得したＩＰアドレスを用いて、「ＡＶ機器２」とＬＡＮネットワーク接続を行い、「ＡＶ機器２」に対する電源ＯＮ指令信号を出力する（Ｓ１７）。その後、「ＡＶ機器２」用の操作画面Ｄ２を表示し（Ｓ１８）、「ＡＶ機器２」に対し、「ＡＶ機器２」用の設定情報を設定する（Ｓ１９）。以上、Ｓ１６〜Ｓ１９は、主に「ＡＶ機器２」用の操作アプリケーションにより実現される工程である。
【００５７】
以上説明したとおり、本実施形態の無線通信システムＳＹによれば、携帯端末１０を所持したユーザーが、部屋を移動しながら各部屋に設置されたＡＶ機器２０により楽曲コンテンツの再生を行いたい場合、ＡＶ機器２０から取得した送信パワーレベルによって、そのＡＶ機器２０に近づいたことを判定できるため、通信圏内に複数のＡＶ機器２０が存在する場合でも、近くにあるＡＶ機器２０を操作対象として特定することができる。これによりユーザーが、操作可能な複数のＡＶ機器２０の中から、所望の１台を選択する手間を省略できる。また、ＡＶ機器２０から取得した送信パワーレベルが閾値を超えた場合、当該ＡＶ機器２０を操作するための操作アプリケーションを自動的に起動するため、部屋を移動するたびにユーザーが操作アプリケーションの切替（起動および終了）を行う必要がない。このように、ユーザーが何ら操作を行うことなく、操作対象となるＡＶ機器２０の特定、および操作アプリケーションの起動を行うため、ユーザーは部屋を移動しながら気軽にコンテンツ視聴を楽しむことができる。
【００５８】
また、任意のＡＶ機器２０に近づいた場合、任意のＡＶ機器２０に対して電源ＯＮ指令信号を出力するため、ユーザーは、任意のＡＶ機器２０が電源ＯＦＦの状態であっても、その起動の手間を省略できる。また、それまで操作対象であったＡＶ機器２０に対しては、電源ＯＦＦ指令信号を出力するため、操作対象とならないＡＶ機器２０が電源ＯＮ状態を維持し続けることによる、無駄な電力消費を防止できる。
【００５９】
また、初期設定処理により、各ＡＶ機器２０について、それぞれの操作を所望する位置で取得した送信パワーレベルを、各ＡＶ機器２０に対応する閾値として記憶するため、各ＡＶ機器２０に近づいたか否かの判別を正確に行うことができる。また、携帯端末１０に各ＡＶ機器２０の設定情報（再生情報など）を記憶しておく構成であるため、各部屋で、好みの音場に設定することができる。
【００６０】
また、操作対象として特定したＡＶ機器２０からＩＰアドレスを取得するため、ＡＶ機器２０のネットワーク制御を行うことができる。つまり、スマートフォンや各種タブレット端末で、ＬＡＮを介してＡＶ機器２０を操作する既存の操作アプリケーションを、そのまま本実施形態の操作アプリケーションとして用いることができる。
【００６１】
なお、上記の実施形態では、各ＡＶ機器２０に対応する閾値を記憶する構成としたが、複数のＡＶ機器２０について、同じ閾値を記憶する構成としても良い。
【００６２】
また、上記の実施形態では、ＩＰアドレスを用いてＡＶ機器２０のネットワーク制御を行うものとしたが、ＡＶ機器２０がネットワーク接続されていない場合、ＳＰＰを使用して、ＡＶ機器２０のコントロールを行っても良い。
【００６３】
その他、以下の変形例を採用可能である。例えば、上記の実施形態では、初期設定処理により、実際に測定した送信パワーレベルを、閾値として記憶する構成としたが、ユーザーが直接、各ＡＶ機器２０に対応する閾値（送信パワーレベル）を入力・設定する構成でも良い。この構成によれば、実際に各ＡＶ機器２０の近くに行って初期設定処理を行う手間を軽減できる。
【００６４】
また、各ＡＶ機器２０に対応する距離を入力・設定する構成でも良い。この場合、図６（ａ）に示す伝播損失の計算式を用い、入力された距離に基づいて、伝播損失を計算し、閾値を算出する。但し、図６（ｂ）に示すように距離が短い方が、損失変化が大きく移動検知が容易となるため、この場合の距離は、上限値（例えば、２［ｍ］）以内で設定可能とすることが好ましい。
【００６５】
また、その距離を、数値として入力するのではなく、「近い」、「遠い」などの選択肢から選択可能としても良い。この場合、「近い」と設定された場合は、高い送信パワーレベルを閾値として記憶し、「遠い」と設定された場合は、低い送信パワーレベルを閾値として記憶することになる。これにより、例えば同じ部屋に複数台のＡＶ機器２０が存在するような状況では「近い」に設定し、そうでない場合は「遠い」に設定する、などの使い分けができる。また、距離を数値設定した場合、各部屋の壁の反射やアンテナの損失などで誤差が生じてしまう可能性があるが、「近い」、「遠い」など抽象的な距離感で選択・設定可能とすることで、誤差の問題を軽減しつつ、ユーザーのニーズに応えることができる。
【００６６】
また、操作対象となるＡＶ機器２０は、必ずしも１台に限定されるものではない。例えば、図７（ａ）に示すように、マスター／クライアントの関係となるＡＶ機器２０群を、全て操作対象としても良い。この場合、マスターＡＶ機器２０ａは、図７（ｂ）に示す対応表３１を記憶している。つまり、マスターＡＶ機器２０ａ用のＩＰアドレスと、接続された各クライアントＡＶ機器２０ｂ用のＩＰアドレスを記憶している。なお、クライアントＡＶ機器２０ｂ用のＩＰアドレスは、マスターＡＶ機器２０ａが自動収集する構成でも良いし、ユーザーがマスターＡＶ機器２０ａに対して手動入力する構成でも良い。
【００６７】
そして、携帯端末１０の識別番号取得部１３０は、マスターＡＶ機器２０ａから取得した送信パワーレベルが、当該マスターＡＶ機器２０ａに対応する閾値を超えた場合、マスターＡＶ機器２０ａから、マスターＡＶ機器２０ａおよび当該マスターＡＶ機器２０ａに接続された各クライアントＡＶ機器２０ｂのＩＰアドレスを取得する。また、携帯端末１０のネットワーク制御部１５４は、取得したＩＰアドレスを用いて、マスターＡＶ機器２０ａおよび各クライアントＡＶ機器２０ｂのネットワーク制御を行う。この構成によれば、マスターとクライアントの関係にある複数台のＡＶ機器２０をまとめて操作対象とすることができる。なお、この場合、マスターＡＶ機器２０ａ用の操作アプリケーションに、クライアントＡＶ機器２０ｂ用の操作アプリケーションが組み込まれているか、若しくはアプリケーション制御部１５１が、マスターＡＶ機器２０ａ用の操作アプリケーションとクライアントＡＶ機器２０ｂ用の操作アプリケーションを同時に起動するものとする。
【００６８】
以上、各実施形態および各変形例を示したが、これらの実施形態および変形例における無線通信システムＳＹの各構成要素をプログラムとして提供することが可能である。また、そのプログラムを各種記録媒体（ＣＤ−ＲＯＭ、フラッシュメモリ等）に格納して提供することも可能である。すなわち、コンピューターを無線通信システムＳＹの各構成要素として機能させるためのプログラム、およびそれを記録した記録媒体も、本発明の権利範囲に含まれる。
【００６９】
また、上記の実施形態では、無線機器として、ＡＶ機器２０を例示したが、楽曲以外のコンテンツ（映像コンテンツ、テキストコンテンツなど）を再生可能なコンテンツ再生機器に、本発明を適用しても良い。この場合、設定情報として、解像度や画質調整値などを設定可能としても良い。また、コンテンツ再生装置以外にも、携帯端末１０により無線通信を介して操作可能な各種電子機器を、本発明の無線機器として用いても良い。その他、本発明の要旨を逸脱しない範囲で、適宜変更が可能である。
【符号の説明】
【００７０】
１０…携帯端末  １１…ＣＰＵ  １２…ディスプレイ  １３…操作部  １４…メモリ  １５…無線通信制御部  １５ａ…ＴＰＳ取得部  １５ｂ…ＳＰＰ取得部  １６…ＬＡＮ制御部  ２０…ＡＶ機器  ２０ａ…マスターＡＶ機器  ２０ｂ…クライアントＡＶ機器  ２１…ＣＰＵ  ２２…再生処理部  ２３…スピーカー  ２５…無線通信制御部  ２５ａ…ＴＰＳ送信部  ２５ｂ…ＳＰＰ送信部  ２６…ＬＡＮ制御部  ３０…無線ＬＡＮルーター  １１０…初期設定部  １２０…送信パワーレベル取得部  １３０…識別番号取得部  １４０…記憶部  １４１…閾値記憶部  １４２…設定情報記憶部  １４３…アプリケーション記憶部  １５０…制御部  １５１…アプリケーション制御部  １５２…電源制御部  １５３…設定制御部  １５４…ネットワーク制御部  Ｄ１，Ｄ２…操作画面  ＳＹ…無線通信システム
【図１】
2014022935.tif 000003
【図２】
2014022935.tif 000004
【図３】
2014022935.tif 000005
【図４】
2014022935.tif 000006
【図５】
2014022935.tif 000007
【図６】
2014022935.tif 000008
【図７】
2014022935.tif 000009